(57)【要約】【課題】冷房運転時における各室内機において、露付き防止運転の有効・無効を設定可能に構成し、使用者の好みに応じて露付き防止運転よりも冷房運転を優先させて快適性を損なうことのない多室型空気調和機を提供すること。【解決手段】本発明の多室型空気調和機は、１つの室外機３に複数の室内機５ａ〜５ｄを接続し、室内機の露付きを抑制するための露付き防止運転を有する多室型空気調和機において、複数の室内機５ａ〜５ｄに対応するリモコン６ａ〜６ｄを備え、リモコン６ａ〜６ｄは、対応する室内機５ａ〜５ｄが露付き防止運転を行わないように設定可能に構成した。【選択図】図２
2011112289.tif 000002
【特許請求の範囲】
【請求項１】
１つの室外機に複数の室内機を接続し、室内機の露付きを抑制するための露付き防止運転を有する多室型空気調和機において、前記複数の室内機に対応するリモコンを備え、前記リモコンは、対応する室内機が露付き防止運転を行わないように設定可能に構成したことを特徴とする多室型空気調和機。
【請求項２】
１つの室外機に複数の室内機を接続し、室内機の露付きを抑制するための露付き防止運転を有する多室型空気調和機において、前記複数の室内機に対応するリモコンを備え、前記リモコンは、対応する室内機が露付き防止運転を行わない時間を設定可能に構成したことを特徴とする多室型空気調和機。
【請求項３】
１つの室外機に複数の室内機を接続し、室内機の露付きを抑制するための露付き防止運転を有する多室型空気調和機において、前記複数の室内機に対応するリモコンと、前記複数の室内機のそれぞれに送風ファンとを備え、前記リモコンで露付き防止運転を無効とする前記送風ファンの風量を設定し、前記設定した風量よりも大きい場合には、露付き防止運転を行わないことを特徴とする多室型空気調和機。
【請求項４】
１つの室外機に複数の室内機を接続し、室内機の露付きを抑制するための露付き防止運転を有する多室型空気調和機において、前記複数の室内機に対応するリモコンと、室内の温度を検出する室内温度検出手段とを備え、前記リモコンで設定された室内の設定温度と、前記室内温度検出手段で検出した室内温度との差が、所定温度以上であれば、露付き防止運転を行わないことを特徴とする多室型空気調和機。
【発明の詳細な説明】
【技術分野】
【０００１】
本発明は、１台の室外機に複数台の室内機を接続して冷凍サイクルを構成する多室型空気調和機に関する。
【背景技術】
【０００２】
従来、室外機１台に対して室内機１台を接続して冷凍サイクルを構成する空気調和機における露付き防止の制御は、冷房運転を開始してから一定時間の間は、室内空調運転の快適性を優先するために圧縮機周波数を高めに設定し、その後、室内の湿度が変化するに従って圧縮機の最高回転数を決定していた（例えば、特許文献１参照）。
【０００３】
図７は、特許文献１に記載された露付き防止の制御方法を示す図である。図７に示すように、室外制御部１１３は、冷房運転開始してから一定時間が経過するまでは、圧縮機１０１の周波数を高めに設定し、その後、室内の湿度が低い時は圧縮機の最大周波数を高めに設定していた。
【０００４】
この時、室内制御部１１２は室内温度センサ１０８で検出する室内温度と、リモコン１１８で設定した室内設定温度との差を算出し、その温度差を室外制御部１１３に送信していた。そして、室外制御部１１３は室内制御部１１２から送られてきた温度差から圧縮機回転数を決定し、インバータ回路１１７を介して圧縮機１０１の回転数を制御している。
【０００５】
また、室内制御部１１２は室内湿度センサ１０９で検出する室内湿度と運転を開始してからの経過時間に基づいて、現在の湿度帯が、高湿度帯、中湿度帯、低湿度帯のいずれかの湿度帯に属するかを判定し、室外制御部１１３へ送信し、室外制御部１１３は属している湿度帯に基づいて圧縮機の最高回転数を決定している。
【先行技術文献】
【特許文献】
【０００６】
【特許文献１】特開２００８−１２８６０８号公報
【発明の概要】
【発明が解決しようとする課題】
【０００７】
しかしながら、前記従来の構成では、室外機１台に対して室内機１台を接続する空気調和機の露付き防止制御であり、１室のみの快適性維持と露付き防止運転を行うことはできるが、室外機１台に対して室内機を複数台接続する多室型空気調和機の制御では、多室の空調運転を行う必要があるため、１室のみの制御を行うと、それ以外の他室の快適性を損なってしまう。そのため、使用者が冷房運転をして欲しいと思っていても、露付き防止運転が開始されることで快適性が低下してしまうという課題を有していた。
【０００８】
本発明は、前記従来の課題を解決するもので、冷房運転時における各室内機において、露付き防止運転の有効・無効を設定可能に構成し、使用者の好みに応じて露付き防止運転よりも冷房運転を優先させて快適性を損なうことのない多室型空気調和機を提供することを目的とする。
【課題を解決するための手段】
【０００９】
前記従来の課題を解決するために、本発明の多室型空気調和機は、１つの室外機に複数の室内機を接続し、室内機の露付きを抑制するための露付き防止運転を有する多室型空気調和機において、複数の室内機に対応するリモコンを備え、リモコンは、対応する室内機
が露付き防止運転を行わないように設定可能に構成したことにより、使用者の好みに応じて露付き防止運転を行わないよう設定し、冷房運転を優先させることができるので、室内温度の快適性を維持することができる。
【００１０】
また、前記従来の課題を解決するために、本発明の多室型空気調和機は、１つの室外機に複数の室内機を接続し、室内機の露付きを抑制するための露付き防止運転を有する多室型空気調和機において、複数の室内機に対応するリモコンを備え、リモコンは、対応する室内機が露付き防止運転を行わない時間を設定可能に構成したことにより、使用者が露付き防止運転よりも冷房運転を優先させたいと思った時間を設定しておくことで、設定した時間の間は、露付き防止運転を行うことなく冷房運転を行うことができる。
【００１１】
また、前記従来の課題を解決するために、本発明の多室型空気調和機は、１つの室外機に複数の室内機を接続し、室内機の露付きを抑制するための露付き防止運転を有する多室型空気調和機において、複数の室内機に対応するリモコンと、複数の室内機のそれぞれに送風ファンとを備え、リモコンで露付き防止運転を無効とする送風ファンの風量を設定し、設定した風量よりも大きい場合には、露付き防止運転を行わないことにより、空調負荷が大きい時には露付き防止運転よりも冷房運転を優先して行うことができ、室温の快適性を損なうことがない。
【００１２】
また、前記従来の課題を解決するために、本発明の多室型空気調和機は、１つの室外機に複数の室内機を接続し、室内機の露付きを抑制するための露付き防止運転を有する多室型空気調和機において、複数の室内機に対応するリモコンと、室内の温度を検出する室内温度検出手段とを備え、リモコンで設定された室内の設定温度と、室内温度検出手段で検出した室内温度との差が、所定温度以上であれば、露付き防止運転を行わないことにより、空調負荷が大きい時には露付き防止運転よりも冷房運転を優先して行うことができ、室温の快適性を損なうことがない。
【発明の効果】
【００１３】
本発明の多室型空気調和機は、冷房運転時における各室内機において、露付き防止運転の有効・無効を設定可能に構成し、使用者の好みに応じて露付き防止運転よりも冷房運転を優先させて快適性を損なうことのない多室型空気調和機を提供することができる。
【図面の簡単な説明】
【００１４】
【図１】本発明の実施の形態における多室型空気調和機の構成概念図
【図２】同実施の形態１における多室型空気調和機の室内機のフローチャート
【図３】同実施の形態１における多室型空気調和機の室外機のフローチャート
【図４】本発明の実施の形態２における多室型空気調和機の室内機のフローチャート
【図５】本発明の実施の形態３における多室型空気調和機の室内機のフローチャート
【図６】本発明の実施の形態４における多室型空気調和機の室内機のフローチャート
【図７】従来の多室型空気調和機のフローチャート
【発明を実施するための形態】
【００１５】
第１の発明の多室型空気調和機は、１つの室外機に複数の室内機を接続し、室内機の露付きを抑制するための露付き防止運転を有する多室型空気調和機において、複数の室内機に対応するリモコンを備え、リモコンは、対応する室内機が露付き防止運転を行わないように設定可能に構成したことにより、使用者の好みに応じて露付き防止運転を行わないよう設定し、冷房運転を優先させることができるので、室内温度の快適性を維持することができる。
【００１６】
第２の発明の多室型空気調和機は、１つの室外機に複数の室内機を接続し、室内機の露
付きを抑制するための露付き防止運転を有する多室型空気調和機において、複数の室内機に対応するリモコンを備え、リモコンは、対応する室内機が露付き防止運転を行わない時間を設定可能に構成したことにより、使用者が露付き防止運転よりも冷房運転を優先させたいと思った時間を設定しておくことで、設定した時間の間は、露付き防止運転を行うことなく冷房運転を行うことができる。
【００１７】
第３の発明の多室型空気調和機は、１つの室外機に複数の室内機を接続し、室内機の露付きを抑制するための露付き防止運転を有する多室型空気調和機において、複数の室内機に対応するリモコンと、複数の室内機のそれぞれに送風ファンとを備え、リモコンで露付き防止運転を無効とする送風ファンの風量を設定し、設定した風量よりも大きい場合には、露付き防止運転を行わないことにより、空調負荷が大きい時には露付き防止運転よりも冷房運転を優先して行い、空調負荷が小さい時には露付き防止運転を行うので、室温の快適性を損なうことがない。
【００１８】
第４の発明の多室型空気調和機は、１つの室外機に複数の室内機を接続し、室内機の露付きを抑制するための露付き防止運転を有する多室型空気調和機において、複数の室内機に対応するリモコンと、室内の温度を検出する室内温度検出手段とを備え、リモコンで設定された室内の設定温度と、室内温度検出手段で検出した室内温度との差が、所定温度以上であれば、露付き防止運転を行わないことにより、空調負荷が大きい時には露付き防止運転よりも冷房運転を優先して行い、空調負荷が小さい時には露付き防止運転を行うので、室温の快適性を損なうことがない。
【００１９】
以下、本発明の実施の形態について、図面を参照しながら説明する。なお、この実施の形態によって本発明が限定されるものではない。
【００２０】
（実施の形態１）
図１は、本発明の実施の形態における多室型空気調和機の構成概念図である。本実施の形態の多室型空気調和機は、一つの室外機３に対して、複数の室内機５ａ〜５ｄ（なお、室内機の台数は、本実施の形態のように４台に限定されることはない。）が並列に冷媒配管７で接続され、冷凍サイクルを構成している。
【００２１】
また、室外機３には能力可変の圧縮機１と、制御部や記憶部を有する制御装置２とを有している。なお、室外機３の内部には空気と冷媒とで熱交換を行う空気熱交換器、空気熱交換器に送風するファン、冷媒を減圧する減圧装置、外気の温度を検出する外気温度検出手段など、一般的な空気調和機の室外機を構成している構成部品を有していることは言うまでも無い。また、室内機５ａ〜５ｄの内部においても制御装置４ａ〜４ｄがそれぞれ設けられており、制御装置２と制御装置４ａ〜４ｄとは信号線８で接続されている。
【００２２】
また、室内機５ａ〜５ｄのそれぞれに対応するリモコン装置６ａ〜６ｄを有しており、各部屋に設置されている。そしてリモコン装置６ａ〜６ｄと、制御装置４ａ〜４ｄとは有線で接続されており、リモコン装置６ａ〜６ｄを操作することによって、空調運転の開始および停止や、室内空調の設定温度の設定などを行うことができる。なお、本実施の形態においては、リモコン装置６ａ〜６ｄは有線で接続しているが、無線で接続してもよい。
【００２３】
このように構成された多室型空気調和機において、冷房運転を行うと室内機に露付きが発生してしまい、この露付きを防止するために露付き防止運転を行う。本実施の形態における露付き防止運転は、室内の熱交換器温度と、冷房運転の経過時間とに応じて、室外機１に設けた圧縮機１の回転数を落とすようにしているが、露付き防止運転はこれに限定されることはなく、その他の方法における露付き防止運転であってもかまわない。
【００２４】
しかしながら、露付き防止運転を開始すると冷房運転能力が低下し、室内の快適性が低下してしまう。そこで、本実施の形態では、使用者が露付き防止運転よりも冷房運転を優先させるようにすることで、露付き防止運転を開始することなく、冷房運転を継続して快適性を損なうことがないようにしている。以下に、本実施の形態の露付き防止運転を無効にする方法について説明する。
【００２５】
本実施の形態では、リモコン装置６ａ〜６ｄに露付き防止運転を無効にする露付き防止運転無効手段（図示せず）を有している。露付き防止運転無効手段は、リモコン装置に何らかのスイッチやボタンをつけて構成してもよいし、その他の構成であっても問題はなく、露付き防止運転を無効可能に構成しておけばよい。そして、使用者が露付き防止運転を無効にしたいと思った時には、露付き防止運転無効手段にて露付き防止運転を無効にする。
【００２６】
図２は、実施の形態１における多室型空気調和機の室内機のフローチャートであり、図３は室外機のフローチャートである。なお、図２に示すフローチャートは、室内機５ａのフローチャートしか示していないが、それぞれの室内機５ａ〜５ｄでは同じフローチャートで制御が行われ、いずれかの室内機で露付き防止運転の開始判断がされると、他の室内機の冷房運転能力にも影響が出るように構成されている。なお、以下では室内機５ａのフローチャートを参照しながら説明する。
【００２７】
まず、ＳＴＥＰ１で冷房運転を開始する。そして、ＳＴＥＰ２で露付き防止運転が有効であるのか、無効であるのかを認識する。そしてＳＴＥＰ３では、リモコン装置６ａ〜６ｄで設定した設定温度と吸い込み温度（室内温度）から冷房運転が行われているかどうかを判断する。冷房運転が行われていればＳＴＥＰ４へ進む。
【００２８】
ＳＴＥＰ４では、露付き防止運転の開始を判断する。本実施の形態では露付き防止運転の開始は、室内熱交換器の温度と冷房運転を開始してからの経過時間で露付きを判断し、露付き運転を開始するための信号を室外機３へ送るかどうかを判断する。そして、露付き運転を開始する信号を室外機３へ送ると判断された場合には、ＳＴＥＰ５へ進む。
【００２９】
ＳＴＥＰ５では、露付き防止運転が有効であるかを判断する。露付き防止運転が有効であると判断されると、ＳＴＥＰ６へ進み、室内機５ａ〜５ｄのいずれかから室外機３へ露付き防止運転を開始する信号を送信する。
【００３０】
一方、室外機３では、ＳＴＥＰ７にて露付き防止運転を開始する信号を受信したかどうかを判断し、露付き防止運転を開始する信号を受信していた場合に、ＳＴＥＰ８にて露付き防止運転を開始する。
【００３１】
以上のように、使用者が好みに応じて露付き防止運転よりも冷房運転を優先して行いたいと判断すると、リモコン装置６ａ〜６ｄに設けた露付き防止運転無効手段で露付き防止運転を無効にすることで、露付き防止運転を開始の判断がされても、露付き防止運転を行うことなく冷房運転を継続するので、室温の快適性を損なうことがなくなる。
【００３２】
（実施の形態２）
実施の形態２における多室型空気調和機は、実施の形態１における多室型空気調和機と露付き防止運転を無効にする手段が異なる。なお、多室型空気調和機の構成については、実施の形態１と同様であるので、同じ構成については同じ符号を付して説明を省略する。
【００３３】
実施の形態２においては、リモコン装置６ａ〜６ｄで露付き防止運転を行わない時刻を設定可能に構成されている。つまり、使用者はリモコン装置６ａ〜６ｄで設定した露付き
防止運転の無効時刻の間は、設定したリモコン６ａ〜６ｄに対応する室内機５ａ〜５ｄでは露付き防止運転が行われないようになる。
【００３４】
図４は、本発明の実施の形態２における多室型空気調和機の室内機のフローチャートである。また、室外機のフローチャートは実施の形態１と同じであるため、図３を用いる。なお、図４に示すフローチャートは、室内機５ａのフローチャートしか示していないが、それぞれの室内機５ａ〜５ｄでは同じフローチャートで制御が行われ、いずれかの室内機で露付き防止運転の開始判断がされると、他の室内機の冷房運転能力にも影響が出るように構成されている。なお、以下では室内機５ａのフローチャートを参照しながら説明する。
【００３５】
まず、ＳＴＥＰ１で冷房運転を開始する。そして、ＳＴＥＰ２で露付き防止運転の無効時刻を認識する。そしてＳＴＥＰ３では、リモコン装置６ａ〜６ｄで設定した設定温度と吸い込み温度（室内温度）から冷房運転が行われているかどうかを判断する。冷房運転が行われていればＳＴＥＰ４へ進む。
【００３６】
ＳＴＥＰ４では、露付き防止運転の開始を判断する。本実施の形態では露付き防止運転の開始は、室内熱交換器の温度と冷房運転を開始してからの経過時間で露付きを判断し、露付き運転を開始するための信号を室外機３へ送るかどうかを判断する。そして、露付き運転を開始する信号を室外機３へ送ると判断された場合には、ＳＴＥＰ５へ進む。
【００３７】
ＳＴＥＰ５では、露付き防止運転の無効時刻でないかを判断する。露付き防止運転の無効時刻でないと判断されると、ＳＴＥＰ６へ進み、室内機５ａ〜５ｄのいずれかから室外機３へ露付き防止運転を開始する信号を送信する。
【００３８】
一方、室外機３では、ＳＴＥＰ７にて露付き防止運転を開始する信号を受信したかどうかを判断し、露付き防止運転を開始する信号を受信していた場合に、ＳＴＥＰ８にて露付き防止運転を開始する。
【００３９】
以上のように、使用者が好みに応じて露付き防止運転よりも冷房運転を優先して行いたいと判断すると、リモコン装置６ａ〜６ｄを操作することによって露付き防止運転の無効時刻を設定し、露付き防止運転を開始の判断がされても、設定した無効時刻の間は露付き防止運転を行うことなく冷房運転を継続するので、室温の快適性を損なうことがなくなる。
【００４０】
（実施の形態３）
実施の形態３における多室型空気調和機は、実施の形態１および２における多室型空気調和機と露付き防止運転を無効にする手段が異なる。なお、多室型空気調和機の構成については、実施の形態１および２と同様であるので、同じ構成については同じ符号を付して説明を省略する。
【００４１】
実施の形態３においては、室内機５ａ〜５ｄの内部に設けられた送風ファン（図示せず）の風量に応じて、露付き防止運転を行わないようにしている。そのため、使用者はリモコン装置６ａ〜６ｄにおいて、無効風量を設定する。そして、送風ファンの風量が、リモコン装置６ａ〜６ｄで設定した無効風量よりも大きいときに、露付き防止運転を行わないようにする。これは、風量が大きい時は室内温度と設定温度とが乖離しており、空調負荷が高い状態にあるため、室温の快適性を優先させた方がよいためである。
【００４２】
なお、本実施の形態では無効風量を使用者がリモコン装置６ａ〜６ｄで設定するようにしたが、これに限定されることはなく、予め無効風量を設定しておき、送風ファンの風量
が予め設定されていた無効風量よりも大きいときに、露付き防止運転を行わないようにしてもよい。このように構成することで、使用者に無効風量を設定させる手間を取らせることがなく使用性が向上する。
【００４３】
図５は、本発明の実施の形態３における多室型空気調和機の室内機のフローチャートである。また、室外機のフローチャートは実施の形態１および２と同じであるため、図３を用いる。なお、図５に示すフローチャートは、室内機５ａのフローチャートしか示していないが、それぞれの室内機５ａ〜５ｄでは同じフローチャートで制御が行われ、いずれかの室内機で露付き防止運転の開始判断がされると、他の室内機の冷房運転能力にも影響が出るように構成されている。なお、以下では室内機５ａのフローチャートを参照しながら説明する。
【００４４】
まず、ＳＴＥＰ１で冷房運転を開始する。そして、ＳＴＥＰ２でリモコン装置で設定された露付き防止運転の無効風量を認識する。そしてＳＴＥＰ３では、リモコン装置６ａ〜６ｄで設定した設定温度と吸い込み温度（室内温度）から冷房運転が行われているかどうかを判断する。冷房運転が行われていればＳＴＥＰ４へ進む。
【００４５】
ＳＴＥＰ４では、露付き防止運転の開始を判断する。本実施の形態では露付き防止運転の開始は、室内熱交換器の温度と冷房運転を開始してからの経過時間で露付きを判断し、露付き運転を開始するための信号を室外機３へ送るかどうかを判断する。そして、露付き運転を開始する信号を室外機３へ送ると判断された場合には、ＳＴＥＰ５へ進む。
【００４６】
ＳＴＥＰ５では、現在風量が無効風量以上でないかを判断する。現在風量が無効風量以上でないと判断されると、ＳＴＥＰ６へ進み、室内機５ａ〜５ｄのいずれかから室外機３へ露付き防止運転を開始する信号を送信する。
【００４７】
一方、室外機３では、ＳＴＥＰ７にて露付き防止運転を開始する信号を受信したかどうかを判断し、露付き防止運転を開始する信号を受信していた場合に、ＳＴＥＰ８にて露付き防止運転を開始する。
【００４８】
以上のように、使用者が好みに応じて露付き防止運転よりも冷房運転を優先して行いたいと判断すると、現在風量と設定された無効風量とを比較し、空調負荷が小さいときにのみ露付き防止運転を行うので、空調負荷が大きい時に露付き防止運転を開始の判断がされても、露付き防止運転を行うことなく冷房運転を継続するので、室温の快適性を損なうことがなくなる。
【００４９】
（実施の形態４）
実施の形態４における多室型空気調和機は、実施の形態１〜３における多室型空気調和機と露付き防止運転を無効にする手段が異なる。なお、多室型空気調和機の構成については、実施の形態１〜３と同様であるので、同じ構成については同じ符号を付して説明を省略する。
【００５０】
実施の形態４においては、リモコン装置６ａ〜６ｄで設定した空調の設定温度と、室内機内に設けられた室内温度検出手段（図示せず）で検出された室内温度との差に応じて露付き防止運転を行わないようにする。例えば、設定温度を１８℃にしたときに、室内温度が２５℃であるとすると、温度差は７℃となり、設定温度を１８℃にしたときに、室内温度が１９℃であるとすると、温度差は１℃となる。この場合は、温度差が小さいほど空調負荷が小さいことがわかる。
【００５１】
本実施の形態では、空調負荷が小さい時にのみ露付き防止運転を有効にし、空調負荷が
大きいときには露付き防止運転を無効にしている。具体的には、設定温度と室内温度との差が所定値Ａよりも大きいかどうかを判断し、所定値Ａよりも大きい場合には露付き防止運転を無効にする。なお、所定値Ａは予め設定された温度であり、一義的に決定されるものではなく、商品の特性に応じて適宜決定されるものである。
【００５２】
図６は、本発明の実施の形態４における多室型空気調和機の室内機のフローチャートである。また、室外機のフローチャートは実施の形態１〜３と同じであるため、図３を用いる。なお、図６に示すフローチャートは、室内機５ａのフローチャートしか示していないが、それぞれの室内機５ａ〜５ｄでは同じフローチャートで制御が行われ、いずれかの室内機で露付き防止運転の開始判断がされると、他の室内機の冷房運転能力にも影響が出るように構成されている。なお、以下では室内機５ａのフローチャートを参照しながら説明する。
【００５３】
まず、ＳＴＥＰ１で冷房運転を開始する。そして、ＳＴＥＰ２でリモコン装置で設定された設定温度を認識する。そしてＳＴＥＰ３では、リモコン装置６ａ〜６ｄで設定した設定温度と吸い込み温度（室内温度）から冷房運転が行われているかどうかを判断する。冷房運転が行われていればＳＴＥＰ４へ進む。
【００５４】
ＳＴＥＰ４では、露付き防止運転の開始を判断する。本実施の形態では露付き防止運転の開始は、室内熱交換器の温度と冷房運転を開始してからの経過時間で露付きを判断し、露付き運転を開始するための信号を室外機３へ送るかどうかを判断する。そして、露付き運転を開始する信号を室外機３へ送ると判断された場合には、ＳＴＥＰ５へ進む。
【００５５】
ＳＴＥＰ５では、設定温度と室内温度との差の絶対値が所定値Ａよりも小さいかどうかを判断する。そして所定値Ａよりも小さいと判断されると、ＳＴＥＰ６へ進み、室内機５ａ〜５ｄのいずれかから室外機３へ露付き防止運転を開始する信号を送信する。
【００５６】
一方、室外機３では、ＳＴＥＰ７にて露付き防止運転を開始する信号を受信したかどうかを判断し、露付き防止運転を開始する信号を受信していた場合に、ＳＴＥＰ８にて露付き防止運転を開始する。
【００５７】
以上のように、空調負荷が小さいときにのみ露付き防止運転を行うので、空調負荷が大きい時に露付き防止運転を開始の判断がされても、露付き防止運転を行うことなく冷房運転を継続するので、室温の快適性を損なうことがなくなる。
【産業上の利用可能性】
【００５８】
以上のように、本発明は、蓄熱式多室形空気調和機にも適用できる。
【符号の説明】
【００５９】
１  圧縮機
２  制御装置
３  室外機
４ａ〜ｄ  制御装置
５ａ〜ｄ  室内機
６ａ〜ｄ  リモコン
７  冷媒配管
８  信号線
【図１】
2011112289.tif 000003
【図２】
2011112289.tif 000004
【図３】
2011112289.tif 000005
【図４】
2011112289.tif 000006
【図５】
2011112289.tif 000007
【図６】
2011112289.tif 000008
【図７】
2011112289.tif 000009